【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
所定の装置を認証する認証制御部を備える、遊技場内に遊技機に対応して設置され、当該対応する遊技機を動作させるための遊技用装置と、
前記遊技場内に設置され、前記遊技用装置を管理する場内装置と、
前記遊技場外に設置された認証装置と、
を備える遊技用システムであって、
前記認証制御部は、前記所定の装置を識別する識別情報を記憶する認証制御部記憶手段と、前記所定の装置から送信された前記所定の装置の識別情報を取得する識別情報取得手段と、前記識別情報取得手段が取得した前記識別情報と前記認証制御部記憶手段が記憶する前記識別情報とに基づいて前記所定の装置の認証を行う認証制御部認証手段と、前記認証制御部記憶手段が前記識別情報を記憶していない場合に前記識別情報取得手段が取得した前記識別情報を前記場内装置では復号できないように暗号化して、当該識別情報に対応する所定情報とともに送信する認証制御部送信手段と、を有し、
前記場内装置は、前記認証制御部送信手段から送信された前記識別情報を暗号化したまま、前記認証制御部送信手段から送信された前記所定情報とともに送信する場内装置送信手段を備え、
前記認証装置は、前記所定の装置の識別情報を予め記憶する認証装置記憶手段と、前記場内装置送信手段を介して送信された前記識別情報を復号し、該復号した前記識別情報と前記認証装置記憶手段が記憶する前記識別情報とに基づいて前記所定の装置の認証を行う認証装置認証手段と、前記認証装置認証手段による認証結果を前記識別情報とともに送信された前記所定情報とともに送信する認証装置送信手段と、を備え、
前記場内装置は、前記認証装置送信手段から送信された前記認証結果を前記所定情報に対応させて記憶する場内装置記憶手段を備え、
前記場内装置送信手段は、前記認証装置送信手段から前記識別情報とともに送信された前記所定情報に対応する前記認証結果を前記場内装置記憶手段が記憶している場合には、前記識別情報を前記認証装置に送信せずに、前記認証結果を前記認証制御部に送信する、
ことを特徴とする遊技用システム。
【請求項２】
前記認証装置送信手段は、前記認証結果を前記場内装置では復号できないように暗号化して送信し、
前記場内装置記憶手段は、前記認証結果を暗号化したまま記憶し、
前記場内装置送信手段は、前記認証結果を暗号化したままで送信し、
前記認証制御部は、前記場内装置送信手段から送信された暗号化したままの前記認証結果を復号して取得する認証結果取得手段を備える、
ことを特徴とする請求項１記載の遊技用システム。
【請求項３】
所定の装置を認証する認証制御部を備える、遊技場内に遊技機に対応して設置され、当該対応する遊技機を動作させるための遊技用装置であって、
前記認証制御部は、
前記所定の装置を識別する識別情報を記憶する認証制御部記憶手段と、
前記所定の装置から送信された前記所定の装置の識別情報を取得する識別情報取得手段と、
前記識別情報取得手段が取得した前記識別情報と前記認証制御部記憶手段が記憶する前記識別情報とに基づいて前記所定の装置の認証を行う認証制御部認証手段と、
前記認証制御部記憶手段が前記識別情報を記憶していない場合に、前記識別情報取得手段が取得した前記識別情報を、前記遊技場内に設置され前記遊技用装置を管理する場内装置では復号できないように暗号化して、当該識別情報に対応する所定情報とともに、前記識別情報を暗号化したまま前記所定情報とともに記憶する前記場内装置を介して、前記遊技場外に設置され前記識別情報を復号化して前記識別情報に基づいて前記所定の装置の認証を行う認証装置に送信する認証制御部送信手段と、を備える、
ことを特徴とする遊技用装置。
【請求項４】
遊技場内に遊技機に対応して設置され、当該対応する遊技機を動作させるための遊技用装置に搭載され所定の装置を認証する認証制御装置であって、
前記所定の装置を識別する識別情報を記憶する記憶手段と、
前記所定の装置から送信された前記所定の装置の識別情報を取得する取得手段と、
前記取得手段が取得した前記識別情報と前記記憶手段が記憶する前記識別情報とに基づいて前記所定の装置の認証を行う認証手段と、
前記記憶手段が前記識別情報を記憶していない場合に、前記取得手段が取得した前記識別情報を、前記遊技場内に設置され前記遊技用装置を管理する場内装置では復号できないように暗号化して、当該識別情報に対応する所定情報とともに、前記識別情報を暗号化したまま前記所定情報とともに記憶する前記場内装置を介して、前記遊技場外に設置され前記識別情報を復号化して前記識別情報に基づいて前記所定の装置の認証を行う認証装置に送信する送信手段と、を備える、
ことを特徴とする認証制御装置。
【手続補正２】
【補正対象書類名】明細書
【補正対象項目名】発明の名称
【補正方法】変更
【補正の内容】
【発明の名称】遊技用システム、遊技用装置、及び、認証制御装置
【手続補正３】
【補正対象書類名】明細書
【補正対象項目名】０００１
【補正方法】変更
【補正の内容】
【０００１】
本発明は、遊技用装置を備える遊技用システム、遊技用装置、及び、認証制御装置に関する。
【手続補正４】
【補正対象書類名】明細書
【補正対象項目名】０００６
【補正方法】変更
【補正の内容】
【０００６】
本発明は、このような背景のもとになされたものであり、その目的とするところは、例えば状況に応じた適切な認証を行うことなどができる遊技用システム、遊技用装置、及び、認証制御装置を提供することにある。
【手続補正５】
【補正対象書類名】明細書
【補正対象項目名】０００７
【補正方法】変更
【補正の内容】
【０００７】
（１）上記目的を達成するため、本発明に係る遊技用システムは、
所定の装置（例えば、払出制御チップ１１など）を認証する認証制御部（例えば、セキュリティチップ２２など）を備える、遊技場（例えば、遊技場５００など）内に遊技機に対応して設置され、当該対応する遊技機を動作させるための遊技用装置（例えば、カードユニット２０など）と、
前記遊技場内に設置され、前記遊技用装置を管理する場内装置（例えば、上位サーバ５１０など）と、
前記遊技場外に設置された認証装置（例えば、鍵管理センターサーバ３１０など）と、
を備える遊技用システム（例えば、遊技用システム１など）であって、
前記認証制御部は、前記所定の装置を識別する識別情報を記憶する認証制御部記憶手段（例えば、チップ情報を記憶する記憶部２２ｂ）と、前記所定の装置から送信された前記所定の装置の識別情報を取得する識別情報取得手段（例えば、ステップＣ２９でチップ情報を取得する処理部２２ａ）と、前記識別情報取得手段が取得した前記識別情報と前記認証制御部記憶手段が記憶する前記識別情報とに基づいて前記所定の装置の認証を行う認証制御部認証手段（例えば、ステップＣ２９で取得したチップ情報を用いた照合を行う処理部２２ａなど）と、前記認証制御部記憶手段が前記識別情報を記憶していない場合に前記識別情報取得手段が取得した前記識別情報を前記場内装置では復号できないように暗号化して、当該識別情報に対応する所定情報（例えば、チップ番号など）とともに送信する認証制御部送信手段（例えば、ステップＣ３１でチップ情報を秘匿鍵Ｂで暗号化してチップ番号とともに送信する処理部２２ａなど）と、を有し、
前記場内装置は、前記認証制御部送信手段から送信された前記識別情報を暗号化したまま、前記認証制御部送信手段から送信された前記所定情報とともに送信する場内装置送信手段（例えば、ステップＣ３３でチップ情報を暗号化したままチップ番号とともに送信する制御部５１１など）を備え、
前記認証装置は、前記所定の装置の識別情報を予め記憶する認証装置記憶手段（例えば、記憶部３１２など）と、前記場内装置送信手段を介して送信された前記識別情報を復号し、該復号した前記識別情報と前記認証装置記憶手段が記憶する前記識別情報とに基づいて前記所定の装置の認証を行う認証装置認証手段（例えば、ステップＣ３４で、秘匿鍵Ｂでチップ情報を復号して照合を行う制御部３１１など）と、前記認証装置認証手段による認証結果を前記識別情報とともに送信された前記所定情報とともに送信する認証装置送信手段（例えば、ステップＣ３５で照合結果をチップ番号とともに送信する制御部３１１など）と、を備え、
前記場内装置は、前記認証装置送信手段から送信された前記認証結果を前記所定情報に対応させて記憶する場内装置記憶手段（例えば、記憶部５１２など）を備え、
前記場内装置送信手段は、前記認証装置送信手段から前記識別情報とともに送信された前記所定情報に対応する前記認証結果を前記場内装置記憶手段が記憶している場合には、
前記識別情報を前記認証装置に送信せずに、前記認証結果を前記認証制御部に送信する（例えば、ステップＦ８以降の処理などを参照）、
ことを特徴とする。
（２）上記（１）の遊技用システムにおいて、
前記認証装置送信手段は、前記認証結果を前記場内装置では復号できないように暗号化して送信し（例えば、ステップＣ３５で照合結果を秘匿鍵Ｂで暗号化して送信するなど）、
前記場内装置記憶手段は、前記認証結果を暗号化したまま記憶し（例えば、ステップＣ３６で照合結果を暗号化したまま記憶するなど）、
前記場内装置送信手段は、前記認証結果を暗号化したままで送信し（例えば、ステップＣ３６で照合結果を暗号化したまま送信するなど）、
前記認証制御部は、前記場内装置送信手段から送信された暗号化したままの前記認証結果を復号して取得する認証結果取得手段（例えば、ステップＣ３７のあとに照合結果を秘匿鍵Ｂで復号して取り込むなど）を備える。
（３）上記目的を達成するため、本発明に係る遊技用装置は、
所定の装置（例えば、払出制御チップ１１など）を認証する認証制御部（例えば、セキュリティチップ２２など）を備える、遊技場（例えば、遊技場５００など）内に遊技機に対応して設置され、当該対応する遊技機を動作させるための遊技用装置（例えば、カードユニット２０など）であって、
前記認証制御部は、
前記所定の装置を識別する識別情報を記憶する認証制御部記憶手段（例えば、チップ情報を記憶する記憶部２２ｂ）と、
前記所定の装置から送信された前記所定の装置の識別情報を取得する識別情報取得手段（例えば、ステップＣ２９でチップ情報を取得する処理部２２ａ）と、
前記識別情報取得手段が取得した前記識別情報と前記認証制御部記憶手段が記憶する前記識別情報とに基づいて前記所定の装置の認証を行う認証制御部認証手段（例えば、ステップＣ２９で取得したチップ情報を用いた照合を行う処理部２２ａなど）と、
前記認証制御部記憶手段が前記識別情報を記憶していない場合に、前記識別情報取得手段が取得した前記識別情報を、前記遊技場内に設置され前記遊技用装置を管理する場内装置では復号できないように暗号化して、当該識別情報に対応する所定情報とともに、前記識別情報を暗号化したまま前記所定情報とともに記憶する前記場内装置（例えば、上位サーバ５１０など）を介して、前記遊技場外に設置され前記識別情報を復号化して前記識別情報に基づいて前記所定の装置の認証を行う認証装置（例えば、鍵管理センターサーバ３１０など）に送信する認証制御部送信手段（例えば、ステップＣ３１でチップ情報を秘匿鍵Ｂで暗号化してチップ番号とともに送信する処理部２２ａなど）と、を備える、
ことを特徴とする。
（４）上記目的を達成するため、本発明に係る認証制御装置は、
遊技場（例えば、遊技場５００など）内に遊技機に対応して設置され、当該対応する遊技機を動作させるための遊技用装置に搭載され所定の装置（例えば、払出制御チップ１１など）を認証する認証制御装置（例えば、セキュリティチップ２２など）であって、
前記所定の装置を識別する識別情報を記憶する記憶手段（例えば、チップ情報を記憶する記憶部２２ｂ）と、
前記所定の装置から送信された前記所定の装置の識別情報を取得する取得手段（例えば、ステップＣ２９でチップ情報を取得する処理部２２ａ）と、
前記取得手段が取得した前記識別情報と前記記憶手段が記憶する前記識別情報とに基づいて前記所定の装置の認証を行う認証手段（例えば、ステップＣ２９で取得したチップ情報を用いた照合を行う処理部２２ａなど）と、
前記記憶手段が前記識別情報を記憶していない場合に、前記取得手段が取得した前記識別情報を、前記遊技場内に設置され前記遊技用装置を管理する場内装置では復号できないように暗号化して、当該識別情報に対応する所定情報とともに、前記識別情報を暗号化したまま前記所定情報とともに記憶する前記場内装置（例えば、上位サーバ５１０など）を介して、前記遊技場外に設置され前記識別情報を復号化して前記識別情報に基づいて前記所定の装置の認証を行う認証装置（例えば、鍵管理センターサーバ３１０など）に送信する送信手段（例えば、ステップＣ３１でチップ情報を秘匿鍵Ｂで暗号化してチップ番号とともに送信する処理部２２ａなど）と、を備える、
ことを特徴とする。
【手続補正６】
【補正対象書類名】明細書
【補正対象項目名】０００８
【補正方法】変更
【補正の内容】
【０００８】
上記（１）の構成によれば、認証場所を遊技場内外に分けることが出来るため、例えば、他の遊技用装置が他の場所へ移動した場合などであっても、遊技場内での認証によって、前記所定の装置の認証を行うことができ、状況に応じた適切な認証を行うことできる。また、上記（１）、（３）、（４）の構成によれば、識別情報は場内装置では暗号化されたままの状態なので、識別情報の漏洩のリスクを低減することが出来る。また、上記（２）の構成によれば、認証結果は場内装置では暗号化されたままの状態なので、認証結果の漏洩のリスクを低減することが出来る。
【手続補正７】
【補正対象書類名】明細書
【補正対象項目名】０００９
【補正方法】変更
【補正の内容】
【０００９】
（５）上記目的を達成するため、参考例に係る遊技用装置は、
所定の装置（例えば、払出制御チップ１１など）を認証する認証制御部（例えば、セキュリティチップ２２など）を備える、遊技場（例えば、遊技場５００など）内に設置された遊技用装置（例えば、カードユニット２０など）であって、
前記認証制御部は、
前記所定の装置を識別する識別情報を記憶する記憶手段（例えば、チップ情報を記憶する記憶部２２ｂ）と、
前記所定の装置が送信する前記所定の装置の識別情報を取得する取得手段（例えば、ステップＣ２９でチップ情報を取得する処理部２２ａ）と、
前記取得手段が取得した前記識別情報と前記記憶手段が記憶する前記識別情報とに基づいて前記所定の装置の認証を行う認証手段（例えば、ステップＣ２９で取得したチップ情報を用いた照合を行う処理部２２ａなど）と、
前記記憶手段が前記識別情報を記憶していない場合に前記取得手段が取得した識別情報を送信する送信手段（例えば、ステップＣ３１でチップ情報を送信する処理部２２ａなど）と、
前記送信手段が送信した前記識別情報に基づく認証の認証結果（例えば、照合結果など）を、前記認証を行う前記遊技場外に設置された認証用装置から前記遊技場内に設置された場内装置（例えば、上位サーバ５１０）を介して受信するか（ステップＣ３５からＣ３７ｂなど）、前記認証結果を前記場内装置が記憶している場合には前記場内装置から受信する（ステップＦ９からＦ１０など）受信手段（例えば、処理部２２ａなど）と、を備える、
ことを特徴とする。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
（６）上記（１）から（５）のいずれかの遊技用システム又は遊技用装置において、
前記認証制御部送信手段などは、前記認証制御部記憶手段などに前記識別情報が記憶されており、かつ、前記認証制御部認証手段などによる認証が失敗した場合には、前記識別情報を前記認証装置に送信する指示とともに送信し（例えば、ステップＧ５及びＧ６参照）、
前記場内装置送信手段などは、前記認証制御部送信手段などが前記識別情報を前記指示とともに送信した場合には、前記場内装置記憶手段などに前記認証結果が記憶されているか否かにかかわらず前記識別情報を前記認証装置に対して送信し（例えば、ステップＧ８参照）、
前記認証装置認証手段などは、前記場内装置送信手段などが送信した前記識別情報に基づいて前記認証を行う（例えば、ステップＣ３４参照）、
ようにしてもよい。
【手続補正１１】
【補正対象書類名】明細書
【補正対象項目名】００１４
【補正方法】変更
【補正の内容】
【００１４】
上記構成によれば、認証制御部記憶手段に前記識別情報が記憶されており、かつ、認証制御部認証手段による認証が失敗した場合には、遊技場外の認証装置で認証を行うため、状況に応じた適切な認証を行うことが出来る。